(57)【要約】【課題】オンラインゲーム通貨が有利な条件で取引できる仲介業者をインターネット上で探す手間を省く。【解決手段】通貨情報提供サーバー１は、仲介業者の取り扱っているオンラインゲーム通貨に関する情報をインターネット２上で収集し、これを記憶部６に記憶しておく。クライアント３がオンラインゲームのタイトル名とサーバー名を入力すると、通貨情報提供サーバー１は、該当するオンラインゲーム通貨を取り扱っている仲介業者を記憶部６から探し出し、その名前と売買価格をインターネット２を介してクライアント３に提供する。【選択図】図１
2009015602.tif 000002
【特許請求の範囲】
【請求項１】
オンラインゲーム通貨に関する情報をインターネット上に提供するシステムであって、オンラインゲーム通貨に関する情報を複数の仲介業者から収集してサーバーに記憶しておき、その記憶情報をクライアントからの要求に応じて提供することを特徴とする情報提供システム。
【請求項２】
前記クライアントがオンラインゲームのタイトル名を入力すると、前記サーバーは該当する前記オンラインゲーム通貨を取り扱っている前記仲介業者を探し、その名前と売買価格を前記クライアントに提供することを特徴とする請求項１記載の情報提供システム。
【請求項３】
前記クライアントが前記オンラインゲーム通貨の口数を入力すると、前記サーバーは合計金額を計算して前記クライアントに提供することを特徴とする請求項１又は２に記載の情報提供システム。
【請求項４】
前記仲介業者名は合計金額順に並べて表示されることを特徴とする請求項１乃至３の何れかに記載の情報提供システム。
【請求項５】
前記クライアントが金額を入力すると、前記サーバーは購入可能な前記オンラインゲーム通貨の合計口数を計算して前記クライアントに提供することを特徴とする請求項１乃至４の何れかに記載の情報提供システム。
【発明の詳細な説明】
【技術分野】
【０００１】
本発明は、オンラインゲーム通貨に関する情報をインターネット上に提供する情報提供システムに関する。
【背景技術】
【０００２】
近年、ゲーム機やパソコンをインターネットに接続してオンラインゲームをする人が増えている（特許文献１参照）。それにともなって、オンラインゲームで獲得した仮想のマネーやアイテム等のゲームコンテンツがインターネット上で流通し、通貨としての価値を持ち始めている。そして、このようなゲームコンテンツ（以下、オンラインゲーム通貨という）をインターネット上で取引する仲介業者が出現している。
【特許文献１】特開２００１−２９１００４号公報
【発明の開示】
【発明が解決しようとする課題】
【０００３】
しかし、仲介業者の数は多く、オンラインゲーム通貨の価格は仲介業者によって異なるため、有利な条件で取引できる仲介業者をインターネット上で探すのは容易でない。
【０００４】
本発明は、このような事情に鑑み、有利な条件で取引できる仲介業者をインターネット上で探す手間が省ける情報提供システムを提供することを目的とする。
【課題を解決するための手段】
【０００５】
上記課題を解決するための本発明は、オンラインゲーム通貨に関する情報をインターネット上に提供するシステムであって、オンラインゲーム通貨に関する情報を複数の仲介業者から収集してサーバーに記憶しておき、その記憶情報をクライアントからの要求に応じて提供することを特徴とする。
【０００６】
クライアントがオンラインゲームのタイトル名を入力すると、サーバーは該当するオンラインゲーム通貨を取り扱っている仲介業者を探し、その名前と売買価格をクライアントに提供するのが好ましい。
【０００７】
クライアントがオンラインゲーム通貨の口数を入力すると、サーバーは合計金額を計算してクライアントに提供するのが好ましい。
【０００８】
仲介業者名は合計金額順に並べて表示されるのが好ましい。
【０００９】
クライアントが金額を入力すると、サーバーは購入可能なオンラインゲーム通貨の合計口数を計算して前記クライアントに提供するのが好ましい。
【発明の効果】
【００１０】
本発明によれば、オンラインゲーム通貨を取り扱う複数の仲介業者の情報が即座に分かるので、有利な条件で取引できる仲介業者をインターネット上で探す手間が省ける。
【発明を実施するための最良の形態】
【００１１】
以下、本発明の実施形態を添付図面に基づいて詳細に説明する。
図１は本発明の情報提供システムを概念的に示す図、図２は通貨情報提供サーバーのブロック図である。
【００１２】
図１において、１はインターネット２に接続された通貨情報提供サーバーで、インターネット２上で流通しているオンラインゲーム通貨に関する情報をクライアント３に提供する。インターネット２には、オンラインゲーム通貨を取り扱う複数の仲介業者のサーバー４が接続されている。
【００１３】
通貨情報提供サーバー１は、インターネット２を介して外部とデータの送受信を行う送受信部５と、送受信部５からのデータを記憶する記憶部６と、記憶部６からデータを取り出して処理し、その結果を送受信部５に送るデータ処理部７と、送受信部５とデータ処理部７を制御する制御部８とからなる。
【００１４】
次に、この情報提供システムの動作について説明する。
通貨情報提供サーバー１は、仲介業者のサーバー４にアクセスし、仲介業者の取り扱っているオンラインゲーム通貨に関する情報（売買価格、在庫数量、取引条件等）を収集し、記憶部６に記憶しておく。この記憶情報の更新は随時行われる。
【００１５】
いま、クライアント３が通貨情報提供サーバー１にアクセスすると、クライアント３の画面には図３に示すような画像が表示される。ここで、ボタン１０をクリックしてオンラインゲームのタイトル名をプルダウンさせ、そのうちの１つを選択してボックス１１に入力する。さらに、ボックス１２でオンラインゲームの提供サーバーを選択し、買うボタン１３または売るボタン１４をクリックし、ボックス１５に口数を入力した後、ＳＥＡＲＣＨボタン１６をクリックする。すると、通貨情報提供サーバー１は、クライアント３が選択したタイトル名とゲーム提供サーバー名に該当するオンラインゲーム通貨の情報を記憶部６から探し出し、データ処理部７で処理してクライアント３に提供する。なお、上記ボタンは例示であり操作者の便宜に応じて自由にボタンを設定できる。
【００１６】
図４はオンラインゲーム通貨の購入時の検索結果を示している。
すなわち、クライアント３の選択したタイトル名とサイト名に該当するオンラインゲーム通貨を取り扱っている仲介業者のサイト名と、その売買価格が一覧表示される。オンラインゲーム通貨を購入する場合（買うボタン１３をクリックした場合）には、同図に示すように仲介業者のサイト名が販売額の安い順に表示される。販売額とは単価に口数を乗じたものである。また、価格１,２・・・は複数の口数をまとめて購入する場合の単価である。さらに、各仲介業者の在庫数も表示される。在庫数がクライアント３の要求する口数に満たない仲介業者は表示されない。なお、ＳＥＡＲＣＨボタン１６をクリックする前に決済条件の入力を要求するようにしてもよい。このようにすると、決済条件を満たす仲介業者だけが表示されるので、検索が便利になる。また、表示された仲介業者のサイト名をクリックすると、そのサイトにアクセスするリンクを設けておくと、オンラインゲーム通貨の取引を直ぐに開始でき、利便性がさらに良くなる。
【００１７】
なお、クライアントが金額を入力すると、サーバーは購入可能なオンラインゲーム通貨の合計口数を計算してクライアントに提供する構成としても良い。具体的にはクライアントがオンラインゲームのタイトル名を指定し、オンラインゲームの提供サーバーを選択し、支払い金額を入力した後、ＳＥＡＲＣＨボタンをクリックする。すると、通貨情報提供サーバーは、クライアントが選択したタイトル名とゲーム提供サーバー名に該当するオンラインゲーム通貨の情報を記憶部６から探し出し、データ処理部７で処理してクライアント３に支払い金額に応じた購入可能なオンラインゲーム通貨の口数の情報を提供する。なお、上記は例示であり操作者の便宜に応じて自由に入力内容を設定してよい。
【００１８】
また、オンラインゲーム通貨を売却する場合には、図５に示すように仲介業者のサイト名が買取額の高い順に表示される。その他の表示は図４と同じである。
【００１９】
この情報表示システムによれば、クライアント３の要求するオンラインゲーム通貨の情報（仲介業者のサイト名、売買価格、在庫数）が即座に分かり、有利な条件で取引できる仲介業者をインターネット上で探す手間が省ける。特に、仲介業者のサイト名が取引額順に表示されるので、検索に便利である。
【図面の簡単な説明】
【００２０】
【図１】本発明の情報提供システムを概念的に示す図である。
【図２】通貨情報提供サーバーのブロック図である。
【図３】オンラインゲーム通貨の売買条件を入力する画面の図である。
【図４】オンラインゲーム通貨の購入時の検索結果を示す図である。
【図５】オンラインゲーム通貨の売却時の検索結果を示す図である。
【符号の説明】
【００２１】
１      通貨情報提供サーバー
２      インターネット
３      クライアント
４      仲介業者のサーバー
５      送受信部
６      記憶部
７      データ処理部
８      制御部
【図１】
2009015602.tif 000003
【図２】
2009015602.tif 000004
【図３】
2009015602.tif 000005
【図４】
2009015602.tif 000006
【図５】
2009015602.tif 000007